(57)【要約】【課題】固定を確実にして高い抗外力強度を持たせる一体成形高強度アルミニウム合金太陽電池モジュールフレームを提供する。【解決手段】フレーム１を含む一体成形高強度アルミニウム合金太陽電池モジュールであって、フレーム１は、数個のエッジフレーム部材１０により構成され、該エッジフレーム部材１０には、第一側板１１、第二側板１２、内板１３を設け、該第一側板１１から第二側板１２間には弧形を呈した強化肋体１４を設け、また、第二側板１２と内板１３間には嵌止槽１５を設けてあり、強化肋体１４によってエッジフレーム部材１０は外力を阻止し、嵌止槽１５によって太陽電池板２０を定位固定し、固定を確実にして高い抗外力強度を持たせる効果を奏することができる。【選択図】図１
0003138733.tif 000002
【実用新案登録請求の範囲】
【請求項１】
フレームを含む一体成形高強度アルミニウム合金太陽電池モジュールフレームであって、該フレームは、数個のエッジフレーム部材の結合により構成されており、該エッジフレーム部材には、第一側板及び第二側板を設け、該第一側板、第二側板間には内板を設け、第一側板と内板間には一体化している強化肋体を設け、第二側板と内板間には嵌止槽を設け、第二側板と内板端面の嵌止槽内側に向いている箇所には定位嵌止凸部を各々設けることを特徴とする、一体成形高強度アルミニウム合金太陽電池モジュールフレーム。
【請求項２】
前記第一側板と内板間にある前記強化肋体は弧形を呈し内側方向に窪んでいることを特徴とする、請求項１に記載の一体成形高強度アルミニウム合金太陽電池モジュールフレーム。
【請求項３】
前記エッジフレーム部材の結合端外側箇所には螺合孔を設け、各エッジフレーム部材を結合する時、螺合部品によって螺合固定することで、エッジフレーム部材を密封した四角形のフレームとすることを特徴とする、請求項１に記載の一体成形高強度アルミニウム合金太陽電池モジュールフレーム。
【請求項４】
前記螺合部品はネジであることを特徴とする、請求項３に記載の一体成形高強度アルミニウム合金太陽電池モジュールフレーム。
【考案の詳細な説明】
【技術分野】
【０００１】
本考案は、一体成形高強度アルミニウム合金太陽電池モジュールフレームに関するものであり、特に、太陽電池板を嵌止固定するエッジフレームに属する技術領域に応用するものである。
【背景技術】
【０００２】
公知の太陽電池モジュールフレームは、図５、図６に示すとおりであり、該フレーム体３０内にサポート板３１をハンダ接合し、また、該フレーム体３０の下方にＵ型の板体嵌合部３２を設け、使用する場合は、太陽電池板２０をフレーム体３０下方に設けた板体嵌合部３２に嵌入して太陽電池板２０を固定する。
【０００３】
それは太陽電池モジュールフレームの効果を発揮するものであるが、下記のような問題点がやはり存在する。
（１）固定が不確実：それはＵ型の板体嵌合部によって太陽電池板を嵌止固定しており、太陽電池板をＵ型の板体嵌合部に入れた後、隙間が存在する故、不確実な固定となる。
（２）抗外力強度が弱い：そのサポート板はフレーム体内にハンダ接合で取り付けられており、フレーム体が引っ張られたり、圧力作用を受けた時、サポート板とフレーム体のハンダ接合箇所は、支えきれなくなる故、サポート板とフレーム体に亀裂が発生し、もともとの効果が発揮されなくなる。
【考案の開示】
【考案が解決しようとする課題】
【０００４】
本考案は上記問題に鑑み、公知の太陽電池モジュールフレームが太陽電池板を効果的に固定できなく、抗外力強度が弱い問題を改善する為、本考案の一体成形高強度アルミニウム合金太陽電池モジュールフレームを完成した。
【課題を解決するための手段】
【０００５】
上記課題を解決するため、本考案は、一体成形高強度アルミニウム合金太陽電池モジュールフレームであり、それはフレーム１を含んでいる。該フレーム１は、数個のエッジフレーム部材１０により構成されており、該エッジフレーム部材１０には、第一側板１１、第二側板１２、内板１３を設け、第一側板１１から第二側板１２間には弧形を呈する強化肋体１４を設ける。また、第二側板１２と内板１３間には嵌止槽１５を設け、使用する場合は、太陽電池板をエッジフレーム部材１０の嵌止槽１５に嵌入する。強化肋体１４の作用により、エッジフレーム部材は効果的に外力を阻止し、嵌止槽１５は太陽電池板を効果的に定位固定する。尚、該フレームは、高強度アルミニウム合金で製作されており、固定を確実に高い抗外力強度を持たせる効果を達成する。
【考案の効果】
【０００６】
本考案の効果は次のとおりである。
（１）＜確実な固定＞
それは、嵌止槽の両側、即ち、第二側板と内板端面に定位嵌止凸部を設けてあり、太陽電池板が嵌止槽に嵌入される場合、太陽電池板の上、下両側は定位嵌止凸部に圧せられ嵌止する故、全体の固定は確実なものとなる。
（２）＜良好な抗外力強度＞
強化肋体は第一側板と内板間に一体設置されており、これにより、エッジフレーム部材は効果的に外力を阻止し、フレームが引っ張られたり圧力作用のあった場合、該強化肋体が、効果的に応力を支えることにより、フレームは、変形や亀裂を発生させることがなく、良好な抗外力強度を持つ。
【考案を実施するための最良の形態】
【０００７】
貴審査委員の方々に更に深く本考案の構造、特徴、効果を理解して戴く為に、良好な実施例に図面を添付し、次のとおり詳細説明を加える。但し、図面にて説明した実施例は、本考案の説明に用いたものであり、実用新案登録申請上のただ一つのものとして制限されるものではない。
【０００８】
図１から図３に、本考案の一体成形高強度アルミニウム合金太陽電池モジュールフレームの立体組立図、分解図、断面図を示す。それは、フレーム１を含んでおり、該フレーム１は、数個のエッジフレーム部材１０の結合により構成されている。また、該エッジフレーム部材１０には、第一側板１１及び第二側板１２を設け、第一側板１１と第二側板１２間の、第二側板１２に近い端には内板１３を設け、また、第一側板１１と内板１３間には、弧形を呈した強化肋体１４を設け、また、第二側板１２と内板１３間には、嵌止槽１５を設け、第二側板１２と内板１３端面の嵌止槽１５内側方向箇所に、定位嵌止凸部１２０、１３０を各々設置する。
【０００９】
また、フレーム１は、高強度アルミニウム合金（７０５０、７０７５、７１５０、７１７５、７４７５）によって製作されている。
【００１０】
上述構造の組み合わせによって、本考案の一体成形高強度アルミニウム合金太陽電池モジュールフレームを完成する。
【００１１】
図２、図３に、本考案の一体成形高強度アルミニウム合金太陽電池モジュールフレームの局部構成部品立体分解図と、断面図を示す。それは、太陽電池板２０をエッジフレーム部材１０に設けた嵌止槽１５に嵌入すると、太陽電池板２０の上、下両側は、第二側板１２と内板１３に設けた定位嵌止凸部１２０、１３０により圧せられて嵌止し、また、第一側板１１と内板１３間に設けた強化肋体１４により、エッジフレーム部材１０は、効果的に外力を阻止する故、固定を確実にし、高い抗外力強度を持たせる効果を達成する。
【００１２】
図４に、本考案の一体成形高強度アルミニウム合金太陽電池モジュールフレームの実施例参考図を示す。それには、各エッジフレーム部材１０の結合端外側箇所に螺合孔１６を設けてあり、各エッジフレーム部材１０を結合する時、螺合部品１６０を螺合固定して、各エッジフレーム部材１０を結合すると、密封した四角のフレーム１が形成され、固定を確実にする効果を達成する。 
【００１３】
前述を総合すると、本考案は、確実に上述諸効果及び目的を達成し、実用新案登録要件に符合する故、ここに、法に基づいて出願を行うものである。
【図面の簡単な説明】
【００１４】
【図１】本考案の立体組立図である。
【図２】本考案の局部構成部品の立体分解図である。
【図３】本考案の局部構成部品の断面図である。
【図４】本考案の実施例の参考図である。
【図５】公知の太陽電池フレームの参考図である。
【図６】公知の太陽電池フレームの断面図である。
【符号の説明】
【００１５】
１      フレーム
１０    エッジフレーム部材
１１    第一側板
１２    第二側板
１２０  定位嵌止凸部
１３    内板
１３０  定位嵌止凸部
１４    強化肋体
１５    嵌止槽
１６    螺合孔
１６０  螺合部品
２０    太陽電池板
３０    フレーム体
３１    サポート板
３２    板体嵌合部
【図１】
0003138733.tif 000003
【図２】
0003138733.tif 000004
【図３】
0003138733.tif 000005
【図４】
0003138733.tif 000006
【図５】
0003138733.tif 000007
【図６】
0003138733.tif 000008